(57)【特許請求の範囲】
【請求項１】
ガスタンクから噴出させる燃料ガスを空気と混合する混合管と、該混合管の上部に連設される拡散器と、該拡散器を囲うように設けられ前記燃料ガスを安定して燃焼させる燃焼筒と、該燃焼筒の上方に配設される風防部材とを少なくとも備えるガスライターであって、
前記燃焼筒は、少なくとも上部の開口部が楕円状に形成されており、
前記風防部材は、頂部と正面部と両側面部と背面部とを有し、前記頂部の中央位置には横長の溝部が形成され、該溝部の中心部には横長で幅狭なスリット状の炎孔が形成されていること
を特徴とするガスライター。
【請求項２】
前記燃焼筒は、全体が扁平状に形成されていること
を特徴とする請求項１に記載のガスライター。
【発明の詳細な説明】
【技術分野】
【０００１】
本発明は、ガスライターに関するものであり、更に詳しくは、ライター本体の炎孔から出る火炎を幅広で扁平に変形させることにより、径の太い葉巻等への着火にも良好に対応させたガスライターに関するものである。
【背景技術】
【０００２】
従来のガスライターとしては、例えば次のような構成のものが知られている。このガスライターは、燃料ガスが充填されるガスタンクと、ガスタンクから噴出させる燃料ガスを空気と混合する混合管と、混合管で混合した混合ガスの流速を減速し拡散させる拡散器と、拡散器で拡散された混合ガスを更に減速及び拡散させて点火と燃焼に充分な流速の空気との混合ガスにする燃焼筒と、燃焼筒内の混合ガスに点火する点火手段とを備える（特許文献１参照）。
【０００３】
このような構成のガスライターは、ジェット噴流で噴出する混合ガスが燃焼筒でバーナー状に着火し燃焼するので、強風下でも使用できるという利点を有する。
【先行技術文献】
【特許文献】
【０００４】
【特許文献１】特開昭６３−９１４３１号公報
【発明の概要】
【発明が解決しようとする課題】
【０００５】
この従来例のガスライターにおいては、ジェット噴流で噴出する混合ガスがバーナー状に燃焼するので、火炎が強くなり、例えばタバコに着火する場合には、先端だけでなく一側面までも偏って燃え過ぎてしまうという問題点を有している。
【０００６】
また、径の太い葉巻に着火する場合にあっては、葉巻の先端を満遍なく包み込むような形状の火炎が要望される。
【０００７】
従って、従来例におけるガスライターにおいては、たとえ内燃式ガスライターであっても、タバコや葉巻の先端を満遍なく包み込みながら燃焼するガスライターを提供することに解決しなければならない課題を有している。
【課題を解決するための手段】
【０００８】
前記従来例の課題を解決するための本発明の要旨は、ガスタンクから噴出させる燃料ガスを空気と混合する混合管と、該混合管の上部に連設される拡散器と、該拡散器を囲うように設けられ前記燃料ガスを安定して燃焼させる燃焼筒と、該燃焼筒の上方に配設される風防部材とを少なくとも備えるガスライターであって、前記燃焼筒は、少なくとも上部の開口部が楕円状に形成されており、前記風防部材は、頂部と正面部と両側面部と背面部とを有し、前記頂部の中央位置には横長の溝部が形成され、該溝部の中心部には横長で幅狭なスリット状の炎孔が形成されていることである。
【０００９】
また、前記燃焼筒は、全体が扁平状に形成されていること、；
を含むものである。
【発明の効果】
【００１０】
本発明に係るガスライターによれば、燃焼筒の開口部が楕円状に形成されることと、風防部材の炎孔が横長のスリット状に形成されることとが相乗的に相俟って、たとえ内燃式ガスライターのような火炎の強いライターであっても、炎孔から出る火炎を幅広で扁平に現出させることができる。従って、タバコや葉巻の先端を満遍なく包み込みながら燃焼するので、これらへの着火が良好に行える。
更には、炎孔が横長のスリット状であることから、従来の円形の炎孔に比べて幅狭に形成されることとなり、従って上方からの風に対しても影響を受け難く、火が消え難いという種々の優れた効果を奏する。
【００１１】
また、燃焼筒は、全体が扁平状に形成されていることによって、燃焼筒の開口部が楕円状に形成されるだけでなく、ライター本体を薄型に形成することができるという種々の優れた効果を奏する。
【図面の簡単な説明】
【００１２】
【図１】本発明に係るガスライター１１の正面の断面を示す説明図である。
【図２】本発明に係るガスライター１１の右側面の断面を示す説明図である。
【図３】本発明に係るガスライター１１の正面図である。
【図４】本発明に係るガスライター１１の左側面図である。
【図５】本発明に係るガスライター１１の背面図である。
【図６】本発明に係るガスライター１１の平面図である。
【図７】風防部材１３の平面図である。
【図８】燃焼筒１９の正面を示す縦断面図である。
【図９】燃焼筒１９の平面図である。
【図１０】燃焼筒１９の底面図である。
【図１１】本発明に係るガスライター１１の着火状態を示す正面図である。
【図１２】本発明に係るガスライター１１の着火状態を示す右側面図である。
【発明を実施するための形態】
【００１３】
次に、本発明の実施の形態について図面を参照しながら説明する。まず、図１及び図２において、符号１１はガスライターを示し、このガスライター１１は、本体ケース１２と、本体ケース１２の上部に配設される風防部材１３と、風防部材１３の下部に位置する内燃機構１４と、高電圧を発生させて燃料ガスに着火するために設けられる圧電ユニット１５とを備えている。
【００１４】
本体ケース１２は、図１から図６に示すように、薄型の筺体状に形成され、その上端にはキャップ部１６を備えている。キャップ部１６は、図５に示すように、本体ケース１２の背面側のヒンジ部１６ａを介して開閉自在になっており、閉成時にはキャップ部１６が風防部材１３を施蓋する。
【００１５】
また、本体ケース１２の正面側には、図１及び図１１に示すように、一対の長孔１７が形成されており、この長孔１７に沿って、着火操作部１８が上下動可能なように取り付けられている。
【００１６】
風防部材１３は、後述する燃焼筒１９の上方及びその近傍に配設され、図７及び図１１に示すように、頂部１３ａと、正面部１３ｂと、両側面部１３ｃ、１３ｃと、背面部１３ｄとを有する。頂部１３ａの中央位置には、横長の溝部１３ｅが形成されており、この溝部１３ｅの中心部には横長でスリット状の炎孔２０が形成されている。炎孔２０の寸法の一例を示すと、幅が約１〜２ｍｍ程度であり、長さが約７〜９ｍｍ程度であることが望ましい。
【００１７】
内燃機構１４は、図１に示すように、混合管２１と、混合管２１の上部に連設される拡散器２２と、拡散器２２を囲うように設けられて燃料ガスを安定して燃焼させる燃焼筒１９とを備えている。
【００１８】
混合管２１は、中空の筒体状に形成されており、ガスタンク２３から噴出させる燃料ガスと空気とを混合する部位である。混合管２１の下部側が導電性チューブ２８を介してガス噴出ノズル２４に連通している。
【００１９】
拡散器２２は、混合管２１から流入してくる燃料ガスの空気との混合を更に促進させながら燃料ガスの流速を減速し拡散させる部位である。
【００２０】
燃焼筒１９は、セラミック材から成り、図８から図１０に示すように、筒体を全体的に扁平状に形成して、上部の開口部１９ａが楕円状を呈すると共に、下部には孔部２５が形成されている。この孔部２５は、拡散器２２を挿通して設置する部位である。また、燃焼筒１９には、拡散器２２から流入する燃料ガスに点火すための、放電端子３２が組み付けられている。
【００２１】
圧電ユニット１５は、図１に示すように、伸縮自在に相互に嵌合する外箱１５ａと内箱１５ｂとを有している。この内箱１５ｂの内部には、図示しない圧電素子、ハンマー、復帰バネ等が組み込まれており、圧電素子をハンマーで打撃して高電圧を生じさせる仕組みである。
【００２２】
内箱１５ｂの上部には、導電性を有するユニットキャップ１５ｄが装着されており、このユニットキャップ１５ｄの下端部１５ｅが、後述する弁操作レバー２７の一端部に当接している。
【００２３】
また、圧電ユニット１５は、一方の電極１５ｃに接続された導電線２９が上方に向けて延出されており、その先端が前述の放電端子３２に連設している。
【００２４】
ユニットキャップ１５ｄの上部には、アーム状のシャフト２６が組み付けられている。このシャフト２６には、着火操作部１８の係止部１８ａが当接しており、着火操作部１８の上下の動作に連動してシャフト２６が上下動する。その結果、シャフト２６の下端側でユニットキャップ１５ｄを介して内箱１５ｂを上下動させる仕組みになっている。
【００２５】
外箱１５ａの側部には、弁操作レバー２７が配設されている。この弁操作レバー２７には、前述のようにユニットキャップ１５ｄの下端部１５ｅが当接しており、従って、着火操作部１８の上下の動作に連動して弁操作レバー２７が上下動する仕組みになっている。弁操作レバー２７の他端部は、ガス噴出ノズル２４の頸部を挟持して弁を開成及び閉成可能なように組み付けられている。
【００２６】
なお、図１中の符号３３は、キャップ部１６のロック装置を示し、符号３４はダンパーを示し、符号３５はスプリングを示す。
【００２７】
以上のように構成されるガスライター１１は、着火操作部１８を押し下げ操作すると、シャフト２６が連動して押し下がり、その結果、ユニットキャップ１５ｄが押し下がる。同時にユニットキャップ１５ｄの下端部１５ｅが弁操作レバー２７を押し下げて、ガス噴出ノズル２４が開弁する。このようにガス噴出ノズル２４が開弁すると、ガスタンク２３からバルブ機構３０を介して燃料ガスが噴出し、燃焼筒１９に流入する。
【００２８】
この燃料ガスの燃焼筒１９への流入と略同時に、シャフト２６がユニットキャップ１５ｄを介して内箱１５ｂを押し下げて、圧電素子が高電圧を生じ、前記放電端子３２に放電火花が発生する。この放電火花によって、燃焼筒１９に流入した燃料ガスがバーナー状に着火する。
【００２９】
この時、燃焼筒１９の開口部１９ａが楕円状に形成されていることと、風防部材１３の炎孔２０が横長のスリット状に形成されていることとが相乗的に相俟って、炎孔２０から出る火炎３１を幅広で扁平に現出させることとなる（図１１及び図１２参照）。その結果、タバコや葉巻の先端を満遍なく包み込みながら着火できるのである。
【００３０】
更には、炎孔２０が横長のスリット状であることから（図７参照）、従来の内燃式ガスライターのような円形の炎孔に比べて幅狭に形成されることとなり、従って、上方からの風に対しても影響を受け難く、火が消え難いのである。
【００３１】
また、燃焼筒１９は扁平状に形成されているので、燃焼筒１９の開口部１９ａが楕円状に形成されるだけでなく、ライター本体を薄型に形成できる利点がある（図２及び図４参照）。
【符号の説明】
【００３２】
１１  ガスライター
１２  本体ケース
１３  風防部材
１３ａ  頂部
１３ｂ  正面部
１３ｃ  側面部
１３ｄ  背面部
１３ｅ  溝部
１４  内燃機構
１５  圧電ユニット
１５ａ  外箱
１５ｂ  内箱
１５ｃ  電極
１５ｄ  ユニットキャップ
１５ｅ  下端部
１６  キャップ部
１６ａ  ヒンジ部
１７  長孔
１８  着火操作部
１８ａ  係止部
１９  燃焼筒
１９ａ  開口部
２０  炎孔
２１  混合管
２２  拡散器
２３  ガスタンク
２４  ガス噴出ノズル
２５  孔部
２６  シャフト
２７  弁操作レバー
２８  導電性チューブ
２９  導電線
３０  バルブ機構
３１  火炎
３２  放電端子
３３  ロック装置
３４  ダンパー
３５  スプリング
【図１】
0005743310.tif 000002
【図２】
0005743310.tif 000003
【図３】
0005743310.tif 000004
【図４】
0005743310.tif 000005
【図５】
0005743310.tif 000006
【図６】
0005743310.tif 000007
【図７】
0005743310.tif 000008
【図８】
0005743310.tif 000009
【図９】
0005743310.tif 000010
【図１０】
0005743310.tif 000011
【図１１】
0005743310.tif 000012
【図１２】
0005743310.tif 000013